(57)【要約】【課題】開閉動作を繰り返し行っても構成部品が損傷し難く、防火戸の開閉動作を長期間安定して実現する。【解決手段】防火戸閉鎖装置１０は、その主構成として、通電状態に応じてアーム１１の固定保持・固定解除を行う電気保持・解除機構１２と、防火戸１０３に加えられる防火戸閉鎖方向の外力に応じてアーム１１の固定解除を行う手動解除機構１３という２種類の機構を備えている。そして、手動解除機構１３の備えるアーム１１の固定保持力が、電気保持・解除機構１２の備えるアーム１１の固定保持力よりも小さく設定されている。したがって、外部からの人為的な閉鎖力が加わったときには手動解除機構１３が機能して防火戸１０３が閉鎖され、緊急時の通電の遮断（又は通電）によって電気信号が与えられたときには電気保持・解除機構１２が機能することによって防火戸１０３が閉鎖される。【選択図】図１Ａ
2006247118.tif 000002
【特許請求の範囲】
【請求項１】
防火戸にドアクローザを介して回動自在に設置されることによって前記防火戸に対して閉鎖方向の力を及ぼすアームと接続し、
常には前記アームを固定保持することによって前記防火戸を開放状態とし、
前記アームの固定を解除することによって前記防火戸を閉鎖状態とする防火戸閉鎖装置であって、
通電状態に応じて前記アームの固定保持・固定解除を行う電気保持・解除機構と、
前記防火戸に加えられる防火戸閉鎖方向の外力に応じて前記アームの固定解除を行う手動解除機構と、
を備えることを特徴とする防火戸閉鎖装置。
【請求項２】
請求項１に記載の防火戸閉鎖装置において、
前記手動解除機構の備える前記アームの固定保持力が、前記電気保持・解除機構の備える前記アームの固定保持力よりも小さいことを特徴とする防火戸閉鎖装置。
【請求項３】
防火戸にドアクローザを介して回動自在に設置されることによって前記防火戸に対して閉鎖方向の力を及ぼすアームと接続し、
常には前記アームを固定保持することによって前記防火戸を開放状態とし、
前記アームの固定を解除することによって前記防火戸を閉鎖状態とする防火戸閉鎖装置であって、
戸枠に設置されるガイドレールと、
前記ガイドレールに固定設置され、且つ、通電状態に応じて駆動される電気解除用係止部を備える電気解除用保持機構部と、
前記ガイドレールに沿って移動自在に設置され、且つ、手動解除用フックを備える手動解除用フック部と、
前記ガイドレールに沿って移動自在に設置され、且つ、前記電気解除用保持機構部と前記手動解除用フック部とを連結可能な係止連結部と、
を有し、
前記係止連結部は、
前記電気解除用係止部に係り止めされる電気解除用フックと、
前記手動解除用フックを係り止め可能であり、且つ、前記防火戸に加えられる防火戸閉鎖方向の外力に応じて駆動される手動解除用係止部と、
を有することを特徴とする防火戸閉鎖装置。
【請求項４】
防火戸にドアクローザを介して回動自在に設置されることによって前記防火戸に対して閉鎖方向の力を及ぼすアームと接続し、
常には前記アームを固定保持することによって前記防火戸を開放状態とし、
前記アームの固定を解除することによって前記防火戸を閉鎖状態とする防火戸閉鎖装置であって、
戸枠に設置されるガイドレールと、
前記ガイドレールに固定設置され、且つ、通電状態に応じて駆動される電気解除用係止部を備える電気解除用保持機構部と、
前記ガイドレールに沿って移動自在に設置され、且つ、前記防火戸に加えられる防火戸閉鎖方向の外力に応じて駆動される手動解除用係止部を備える手動解除用保持機構部と、
前記ガイドレールに沿って移動自在に設置され、且つ、前記電気解除用保持機構部と前記手動解除用保持機構部とを連結可能なフック連結部と、
を有し、
前記フック連結部は、
前記電気解除用係止部に係り止めされる電気解除用フックと、
前記手動解除用係止部に係り止めされる手動解除用フックと、
を備え、さらに、
前記手動解除用保持機構部は、前記手動解除用係止部によって前記手動解除用フックを係り止め可能に構成されていることを特徴とする防火戸閉鎖装置。
【請求項５】
請求項３又は４に記載の防火戸閉鎖装置において、
前記手動解除用係止部の備える前記手動解除用フックの係り止め保持力が、前記電気解除用係止部の備える前記電気解除用フックの係り止め保持力よりも小さいことを特徴とする防火戸閉鎖装置。
【請求項６】
請求項３又は５に記載の防火戸閉鎖装置において、
前記手動解除用フック部及び前記係止連結部の少なくとも一方の外周部は、樹脂によって構成されていることを特徴とする防火戸閉鎖装置。
【請求項７】
請求４又は５に記載の防火戸閉鎖装置において、
前記手動解除用保持機構部及び前記フック連結部の少なくとも一方の外周部は、樹脂によって構成されていることを特徴とする防火戸閉鎖装置。
【請求項８】
請求項３〜７のいずれか１項に記載の防火戸閉鎖装置において、
前記手動解除用フックは、前記手動解除用係止部との接触部位に転動体を備えていることを特徴とする防火戸閉鎖装置。
【請求項９】
請求項３〜８のいずれか１項に記載の防火戸閉鎖装置において、
前記手動解除用係止部は、前記手動解除用フックを係り止めするための保持力を調節自在とする保持力調節機構を備えていることを特徴とする防火戸閉鎖装置。
【請求項１０】
請求項３に記載の防火戸閉鎖装置において、
前記係止連結部は、前記電気解除用フックと前記手動解除用係止部との間隔を調節自在とする間隔調節構造を備えていることを特徴とする防火戸閉鎖装置。
【請求項１１】
請求項４に記載の防火戸閉鎖装置において、
前記フック連結部は、前記電気解除用フックと前記手動解除用フックとの間隔を調節自在とする間隔調節構造を備えていることを特徴とする防火戸閉鎖装置。
【発明の詳細な説明】
【技術分野】
【０００１】
本発明は、防火戸閉鎖装置に係り、特に、ソレノイドへの通電の遮断（又は通電）もしくは人為的な閉鎖力によって開放状態にある防火戸を閉鎖状態とすることができる防火戸閉鎖装置の改良に関するものである。
【背景技術】
【０００２】
ビルや公共施設等の建造物には、火災発生等の緊急時において建造物内の火災や煙の拡大を防止するために、防火戸が設置されている。この種の防火戸には、一般的に防火戸閉鎖装置が設置されており、常には閉鎖方向の力が働く防火戸を固定保持することによって防火戸の開放状態が維持されている。一方、緊急時には防火戸閉鎖装置が有するソレノイドへの通電もしくは人為的な閉鎖力によって防火戸の固定が解除され、防火戸は閉鎖されるように構成されている。
【０００３】
このような従来の防火戸閉鎖装置としては、例えば、下記特許文献１に開示のものが知られている。従来の防火戸閉鎖装置の構造について、図面を用いて説明する。図７は、従来の防火戸閉鎖装置を備える防火戸の全体構成を示した上面図であり、防火戸の取付構造を示している。また、図８は図７の側面図であり、図９は、従来の防火戸閉鎖装置の構造を説明するための要部断面図である。
【０００４】
防火戸１０３は、戸枠１０１に対してヒンジ１０２を介して開閉自在に設置されている。そして、図８においてより詳細に示されるように、従来の防火戸閉鎖装置１１０は、戸枠１０１の梁の部分に設置されている。一方、防火戸１０３の側には防火戸１０３に対して閉鎖方向の力を及ぼすためのドアクローザ１１５が設置されている。このドアクローザ１１５と防火戸閉鎖装置１１０とがリンク機構１１２を介してリンク接続されることにより、ドアクローザ１１５の力が防火戸１０３に伝達されることになる。
【０００５】
図９に示されるように、防火戸閉鎖装置１１０は、その内部に摺動自在なスライドフック１１８を備えている。スライドフック１１８は、防火戸閉鎖装置１１０内をスムーズに移動できるように、フックの略中央部分に螺合されるボルト１１９を介してスライド用コマ１２０を備えている。また、スライド用コマ１２０の下端側にはボルト１１９を介してリンク取付軸１２１が併設されており、このリンク取付軸１２１とリンク機構１１２とが接続されることによって、スライドフック１１８には、常にドアクローザ１１５からの力が矢印（β）で示す方向に及ぼされている。なお、図７において図示するリンク機構１１２は、いわゆるパンタグラフ構造を有しており、ドアクローザ１１５から及ぼされる駆動力を、リンク取付軸１２１を介してスムーズにスライドフック１１８に伝達できるようになっている。
【０００６】
さらに、防火戸閉鎖装置１１０の内部には、図１０及び図１１に示されるような係止機構１３０が設置されている。なお、図１０は、従来の防火戸閉鎖装置の内部構造を説明するための上面図であり、図１１は、図１０のＡ−Ａ断面を示す縦断面側面図である。
【０００７】
係止機構１３０は、主な構成として、ソレノイド１３１を用いて構成される駆動機構と、この駆動機構によって傾動自在とされ、スライドフック１１８に係り止めされる作動板１４０とを有している。ソレノイド１３１は、駆動力を伝達するためのプランジャ１３２と、このプランジャ１３２の突出方向とは逆方向にプランジャ１３２を引き戻すためのプランジャスプリング１３３とを備えており、ソレノイド１３１に対する通電によってプランジャ１３２は突出し、またソレノイド１３１に対する通電の遮断によってプランジャ１３２の引き戻しがなされる。
【０００８】
プランジャ１３２の突出方向には、断面コ字形となる一対のリンク１３４，１３５を用いたトグルリンクが設けられており、上側のリンク１３４の上端はトグルピン１３６によりリンク軸受板によって防火戸閉鎖装置１１０の外枠に固定され、また、一対のリンク１３４，１３５を連結する中央のトグルピン１３７の部分には、トグルスプリング１３８が組み込まれ、図１１に示すように、トグルリンクが直線状態となるようにスプリング力を加えている。さらに、上側のリンク１３４には、プランジャ１３２の打撃を受ける当接片１３９が設置されている。
【０００９】
このトグルリンクに続いて作動板１４０が設置されており、作動板１４０の外郭形状は舟形に構成されている。この作動板１４０は、一端側をトグルピン１４１により軸支されており、他端側には軸ピン１４２を介して２つのローラ１４３が設置されている。また、作動板１４０の取り付けは、取付ねじ１４４とスプリング１４５とによって行われており、スプリング１４５が受容可能なスプリング駆動の範囲内で、作動板１４０は浮動状態を維持しつつ傾動自在となっている。なお、軸ピン１４２に設置される２つのローラ１４３は、作動板１４０のスムーズな傾動動作を補助するために設置されている。
【００１０】
また、作動板１４０の上側には支点軸１４６が分離設置されており、この支点軸１４６は、ソレノイド１３１の通電によるプランジャ１３２の打撃によってトグルリンクが傾動したとき、あるいは外部からの閉鎖力が加わったときに、傾動する作動板１４０の当接を受けて傾動動作の支点となる役割を担っている。
【００１１】
したがって、プランジャ１３２が駆動されていないとき、及び、外部から防火戸１０３に対して閉鎖方向の外力が加えられていないときには、作動板１４０は略水平位置に保持されるので、作動板１４０に設けられた軸ピン１４２はスライドフック１１８の先端部に形成されたフック溝１１８ａに係止され、防火戸１０３の開放状態は維持されることになる（図１１参照）。
【００１２】
一方、プランジャ１３２が駆動されて作動板１４０が傾動したとき、及び、外部から防火戸１０３に対して閉鎖方向の外力が加えられ、作動板１４０に設置されるスプリング１４５のバネ力に抗して作動板１４０が傾動したときには、作動板１４０に設けられた軸ピン１４２はフック溝１１８ａとの係止を解かれるので、スライドフック１１８は図１２に示す矢印（γ）の方向に移動して、防火戸１０３は閉鎖状態となる（図１２参照）。
【００１３】
つまり、従来の防火戸閉鎖装置１１０は、火災発生等の緊急時においてはソレノイド１３１の通電によって自動的に防火戸１０３の閉鎖を行うことができる。また、防火戸１０３に閉鎖方向の力を加えることによっても防火戸閉鎖装置１１０による防火戸１０３の固定を解除することができるので、従来の防火戸閉鎖装置１１０によれば、人為的にも防火戸１０３の閉鎖を行うことができるという利点を有している。
【００１４】
【特許文献１】実開昭６０−４７５４４号公報
【発明の開示】
【発明が解決しようとする課題】
【００１５】
しかしながら、従来の防火戸閉鎖装置１１０は、多くの問題を有するものであった。まず、従来の防火戸閉鎖装置１１０は、本来緊急時にのみ作動させるものであるにも関わらず、手動による防火戸１０３の開閉動作にも用いられる構造のため、繰り返し使用によって係止機構１３０やフック溝１１８ａが損傷し易いという問題があった。このことは、部品取り替え頻度の増加による維持コストの増加や人件費等のメンテナンス費用の増大を招いてしまうものであった。また、フック溝１１８ａの摩耗はスライドフック１１８の固定保持力の低下をもたらすものであり、防火戸１０３の開放状態を維持することができなくなってしまうという問題をも有していた。
【００１６】
さらに、防火戸１０３を手動で繰り返し開閉した場合、従来の防火戸閉鎖装置１１０にはスライドフック１１８という摺動動作を行う部材が存在していたので、スライドフック１１８の外周面と防火戸閉鎖装置１１０の外枠内周面とが繰り返し摺動によって摩耗され、摩擦係数の増加によるカジリが発生し、防火戸１０３の開閉動作がスムーズに行えなくなってしまうという問題が存在していた。
【００１７】
本発明は、上述した課題の存在に鑑みて成されたものであって、ソレノイドへの通電もしくは人為的な閉鎖力によって開放状態にある防火戸を閉鎖状態とすることができる防火戸閉鎖装置において、開放・閉鎖動作を繰り返し行ったとしても構成部品が損傷し難く、しかも防火戸の開閉動作を長期間安定して実現することができる防火戸閉鎖装置を提供することを目的とするものである。
【課題を解決するための手段】
【００１８】
以下、本発明について説明する。なお、本発明の理解を容易にするために添付図面の参照番号を括弧書きにて付記するが、それにより本発明が図示の形態に限定されるものではない。
【００１９】
本発明に係る防火戸閉鎖装置（１０）は、防火戸（１０３）にドアクローザ（１１５）を介して回動自在に設置されることによって前記防火戸（１０３）に対して閉鎖方向の力を及ぼすアーム（１１）と接続し、常には前記アーム（１１）を固定保持することによって前記防火戸（１０３）を開放状態とし、前記アーム（１１）の固定を解除することによって前記防火戸（１０３）を閉鎖状態とする防火戸閉鎖装置（１０）であって、通電状態に応じて前記アーム（１１）の固定保持・固定解除を行う電気保持・解除機構（１２）と、前記防火戸（１０３）に加えられる防火戸閉鎖方向の外力に応じて前記アーム（１１）の固定解除を行う手動解除機構（１３）と、を備えることを特徴とする。
【００２０】
本発明に係る防火戸閉鎖装置（１０）は、前記手動解除機構（１３）の備える前記アーム（１１）の固定保持力が、前記電気保持・解除機構（１２）の備える前記アーム（１１）の固定保持力よりも小さいこととすることが好適である。
【００２１】
本発明に係る防火戸閉鎖装置（１０）は、防火戸（１０３）にドアクローザ（１１５）を介して回動自在に設置されることによって前記防火戸（１０３）に対して閉鎖方向の力を及ぼすアーム（１１）と接続し、常には前記アーム（１１）を固定保持することによって前記防火戸（１０３）を開放状態とし、前記アーム（１１）の固定を解除することによって前記防火戸（１０３）を閉鎖状態とする防火戸閉鎖装置（１０）であって、戸枠（１０１）に設置されるガイドレール（１５）と、前記ガイドレール（１５）に固定設置され、且つ、通電状態に応じて駆動される電気解除用係止部（１４２）を備える電気解除用保持機構部（２０）と、前記ガイドレール（１５）に沿って移動自在に設置され、且つ、手動解除用フック（３１）を備える手動解除用フック部（３０）と、前記ガイドレール（１５）に沿って移動自在に設置され、且つ、前記電気解除用保持機構部（２０）と前記手動解除用フック部（３０）とを連結可能な係止連結部（４０）と、を有し、前記係止連結部（４０）は、前記電気解除用係止部（１４２）に係り止めされる電気解除用フック（４２）と、前記手動解除用フック（３１）を係り止め可能であり、且つ、前記防火戸（１０３）に加えられる防火戸閉鎖方向の外力に応じて駆動される手動解除用係止部（４１ａ）と、を有することを特徴とする。
【００２２】
また、本発明に係る別の防火戸閉鎖装置（１０）は、防火戸（１０３）にドアクローザ（１１５）を介して回動自在に設置されることによって前記防火戸（１０３）に対して閉鎖方向の力を及ぼすアーム（１１）と接続し、常には前記アーム（１１）を固定保持することによって前記防火戸（１０３）を開放状態とし、前記アーム（１１）の固定を解除することによって前記防火戸（１０３）を閉鎖状態とする防火戸閉鎖装置（１０）であって、戸枠（１０１）に設置されるガイドレール（１５）と、前記ガイドレール（１５）に固定設置され、且つ、通電状態に応じて駆動される電気解除用係止部（１４２）を備える電気解除用保持機構部（２０）と、前記ガイドレール（１５）に沿って移動自在に設置され、且つ、前記防火戸（１０３）に加えられる防火戸閉鎖方向の外力に応じて駆動される手動解除用係止部（４１ａ）を備える手動解除用保持機構部（７０）と、前記ガイドレール（１５）に沿って移動自在に設置され、且つ、前記電気解除用保持機構部（２０）と前記手動解除用保持機構部（７０）とを連結可能なフック連結部（６０）と、を有し、前記フック連結部（６０）は、前記電気解除用係止部（１４２）に係り止めされる電気解除用フック（４２）と、前記手動解除用係止部（４１ａ）に係り止めされる手動解除用フック（３１）と、を備え、さらに、前記手動解除用保持機構部（７０）は、前記手動解除用係止部（４１ａ）によって前記手動解除用フック（３１）を係り止め可能に構成されていることを特徴とする。
【００２３】
本発明に係る防火戸閉鎖装置（１０）においては、前記手動解除用係止部（４１ａ）の備える前記手動解除用フック（３１）の係り止め保持力が、前記電気解除用係止部（１４２）の備える前記電気解除用フック（４２）の係り止め保持力よりも小さいこととすることが好適である。
【００２４】
また、本発明に係る防火戸閉鎖装置（１０）において、前記手動解除用フック部（３０）及び前記係止連結部（４０）の少なくとも一方の外周部（３３，４７）は、樹脂によって構成することができる。
【００２５】
また、本発明に係る別の防火戸閉鎖装置（１０）において、前記手動解除用保持機構部（７０）及び前記フック連結部（６０）の少なくとも一方の外周部（３３，４７）は、樹脂によって構成することができる。
【００２６】
本発明に係る防火戸閉鎖装置（１０）において、前記手動解除用フック（３１）は、前記手動解除用係止部（４１ａ）との接触部位に転動体（４４）を備えていることとすることができる。
【００２７】
また、本発明に係る防火戸閉鎖装置（１０）において、前記手動解除用係止部（４１ａ）は、前記手動解除用フック（３１）を係り止めするための保持力を調節自在とする保持力調節機構（４５，４６）を備えていることとすることができる。
【００２８】
さらに、本発明に係る防火戸閉鎖装置（１０）において、前記係止連結部（４０）は、前記電気解除用フック（４２）と前記手動解除用係止部（４１ａ）との間隔を調節自在とする間隔調節構造（４８，４９）を備えていることとすることができる。
【００２９】
またさらに、本発明に係る別の防火戸閉鎖装置（１０）において、前記フック連結部（６０）は、前記電気解除用フック（４２）と前記手動解除用フック（３１）との間隔を調節自在とする間隔調節構造（４８，４９）を備えていることとすることができる。
【００３０】
なお上記発明の概要は、本発明の必要な特徴の全てを列挙したものではなく、これらの特徴群のサブコンビネーションもまた発明となり得る。
【発明の効果】
【００３１】
本発明によれば、開放・閉鎖動作を繰り返し行ったとしても構成部品が損傷し難く、しかも防火戸の開閉動作を長期間安定して実現することができる防火戸閉鎖装置を提供することができる。かかる効果は、特に、通電状態に応じて防火戸の固定保持・固定解除を行うことができる電気保持・解除機構と、防火戸に加えられる防火戸閉鎖方向の外力に応じて防火戸の固定解除を行うことができる手動解除機構という２つの機構を備えたことにより実現され、さらには、摺動動作を行う部材に樹脂や転動体を採用することによって、上記効果のさらなる向上を実現することができる。
【００３２】
また、本発明に係る防火戸閉鎖装置は、防火戸の保持力や保持位置を調節することができるので、防火戸を手動閉鎖する際に必要な閉鎖力の大きさや防火戸開放時の開度を調節することができる。
【発明を実施するための最良の形態】
【００３３】
以下、本発明を実施するための好適な実施形態について、図面を用いて説明する。なお、以下の実施形態は、各請求項に係る発明を限定するものではなく、実施形態の中で説明されている特徴の組み合わせの全てが発明の解決手段に必須であるとは限らない。また、上述の背景技術において説明した部材と同一又は類似する部材については、同一符号を付して説明を省略する。
【００３４】
図１Ａは、本実施形態に係る防火戸閉鎖装置を備える防火戸の全体構成を示した上面図であり、防火戸の取付構造を示している。また、図１Ｂは、図１Ａに示した防火戸の側面図である。
【００３５】
図１Ａ及び図１Ｂに示すように、防火戸１０３は戸枠１０１に対してヒンジ１０２を介して回動自在に設置されており、一方、本実施形態に係る防火戸閉鎖装置１０については、戸枠１０１内部に埋め込み設置されている。そして、これら防火戸１０３と防火戸閉鎖装置１０とが棒板状のアーム１１によってリンク接続されることにより、防火戸１０３は開閉自在となっている。
【００３６】
また、防火戸１０３とアーム１１とは、ドアクローザ１１５を介して接続されており、ドアクローザ１１５が及ぼす閉鎖方向の駆動力によって、防火戸１０３には、常に閉鎖方向の力が加わるよう構成されている。一方、戸枠１０１側に設置された本実施形態に係る防火戸閉鎖装置１０は、常にはアーム１１を固定保持することによって防火戸１０３を開放状態とし、火災発生等の緊急時や防火戸１０３に閉鎖方向の力が加わったときには、アーム１１の固定を解除することによって防火戸１０３を閉鎖状態とすることができるようになっている。
【００３７】
このような機能を有する防火戸閉鎖装置１０は、その主構成として、通電状態に応じてアーム１１の固定保持・固定解除を行う電気保持・解除機構１２（電気解除用保持機構部２０及び係止連結部４０が備える電気解除用フック４２）と、防火戸１０３に加えられる防火戸閉鎖方向の外力に応じてアーム１１の固定解除を行う手動解除機構１３（係止連結部４０が備える係止板４１、係止アーム４１ａ及び手動解除用フック部３０）という２種類の機構を備えている。そして、手動解除機構１３の備えるアーム１１の固定保持力が、電気保持・解除機構１２の備えるアーム１１の固定保持力よりも小さく設定されることにより、防火戸１０３に対して外部からの人為的な閉鎖力が加わったときには手動解除機構１３が機能することによって防火戸１０３が閉鎖され、緊急時の通電の遮断（又は通電）によって閉鎖動作のトリガーとなる電気信号が与えられたときには電気保持・解除機構１２が機能することによって防火戸１０３が閉鎖されることになる。本実施形態に係る防火戸閉鎖装置１０では、以上のように電気保持・解除機構１２と手動解除機構１３という２種類の機構を備えることによって、開放・閉鎖動作を繰り返し行ったとしても構成部品が損傷し難く、しかも防火戸の開閉動作を長期間安定して実現することが可能となるのである。以下、本実施形態に係る防火戸閉鎖装置１０の具体的な構成について説明する。
【００３８】
図１Ａ及び図１Ｂに示されるように、本実施形態に係る防火戸閉鎖装置１０は、戸枠１０１内部に設置されるガイドレール１５と、このガイドレール１５に固定設置され、且つ、通電状態に応じて駆動される電気解除用係止部としての軸ピン１４２を備える電気解除用保持機構部２０と、ガイドレール１５に沿って移動自在に設置され、且つ、手動解除用フック３１を備える手動解除用フック部３０と、ガイドレール１５に沿って移動自在に設置され、且つ、電気解除用保持機構部２０と手動解除用フック部３０とを連結可能な係止連結部４０と、を有している。
【００３９】
ガイドレール１５は、本実施形態に係る防火戸閉鎖装置１０の外郭を形成する金属系材料又は樹脂材料からなる部材であり、装置の動作の基準となる部材である。
【００４０】
図１Ａ及び図１Ｂにおいて網掛け表示される電気解除用保持機構部２０は、背景技術で説明した係止機構１３０とほぼ同様の構成を有しているので詳細構造の図示を省略するが、ソレノイド１３１を用いて構成される駆動機構と、この駆動機構によって傾動自在とされる作動板１４０とを有している。ソレノイド１３１は、駆動力を伝達するためのプランジャ１３２と、このプランジャ１３２の突出方向とは逆方向にプランジャ１３２を引き戻すためのプランジャスプリング１３３とを備えている。なお、本実施形態に係る電気解除用保持機構部２０では、ソレノイド１３１に対する通電の遮断によってプランジャ１３２は突出し、ソレノイド１３１に対する通電が行われることによってプランジャ１３２の引き戻しがなされる構成を採用している。この構成は、本実施形態に係る防火戸閉鎖装置１０が防火戸１０３の開閉動作を制御するという安全性を求められる装置であることから採用されるものであり、火災等のトラブルによって通電遮断が発生した場合には、防火戸１０３を閉鎖するように動作が行われることになる。
【００４１】
不図示の作動板１４０は、取付ねじ１４４とスプリング１４５とによって浮動状態に取り付けられており、プランジャ１３２の突出・引き戻し動作にしたがって傾動自在となっている。なお、図１Ｂでは、作動板１４０に設置される電気解除用係止部としての軸ピン１４２のみを表示している。
【００４２】
次に、手動解除用フック部３０及び係止連結部４０について説明する。これら手動解除用フック部３０及び係止連結部４０については、背景技術で説明した従来の防火戸閉鎖装置１１０には無い本実施形態特有の構成であるから、図面を用いて詳細に説明する。図２Ａは、本実施形態に係る手動解除用フック部及び係止連結部を説明するための要部上面図であり、図２Ｂは、図２Ａで示した本実施形態に係る手動解除用フック部及び係止連結部の側面図である。また、図２Ｃは、図２Ａで示した本実施形態に係る手動解除用フック部及び係止連結部の内部構造を示す要部上面透視図である。
【００４３】
手動解除用フック部３０は、ガイドレール１５に沿って摺動自在に設置される部材であり、手動解除用フック３１を備えている。この手動解除用フック３１には、フック溝３１ａが形成されており、後述する手動解除用係止部としての係止アーム４１ａを係り止めできるように構成されている。
【００４４】
また、手動解除用フック部３０は、図２Ｂにおいて示されるように、アーム１１と接続するためのリンク取付軸３２を有しており、このリンク取付軸３２とアーム１１とが接続されることによって、手動解除用フック部３０には、常にドアクローザ１１５からの力が矢印（α）で示す方向に及ぼされることになる（図１Ａ及び図１Ｂ参照）。
【００４５】
一方の係止連結部４０は、電気解除用保持機構部２０が備える電気解除用係止部としての軸ピン１４２に係り止めされる電気解除用フック４２を備えており、この電気解除用フック４２には軸ピン１４２と確実に係止するためのフック溝４２ａが形成されている。
【００４６】
また、係止連結部４０は、手動解除用係止部としての係止アーム４１ａを備える係止板４１を有している。この係止板４１は、左右方向にアームが延在し、この２つのアームを接続するとともに係止板４１の設置基準となる部位を備える概略Ｔ字状の板状部材である。係止板４１の一方のアームは、係止連結部４０の本体部とヒンジ４３を介して傾動自在に接続する支持アーム４１ｂとして形成されている。
【００４７】
他方に形成される手動解除用係止部としての係止アーム４１ａには、手動解除用フック３１との接触部位に転動体４４が設置されており、係止アーム４１ａと手動解除用フック３１とのスムーズな係止・解放動作が実現されている。なお、図示する転動体４４はローラであるが、ボールとして構成することもできる。また、転動体４４を構成する材料は、金属材料でも良いが、摺動性や耐摩耗性等を考慮して、樹脂によって形成することも好適である。
【００４８】
係止板４１の設置基準となる中央の部位には、取付ねじに螺合するナット４５とスプリング４６が設置されており、係止連結部４０本体に対して係止板４１は浮動状態で傾動自在となっている。すなわち、係止板４１は、スプリング４６が受容可能なスプリング駆動の範囲内で傾動自在となっており、この傾動動作はヒンジ４３を支点として行われることになる。したがって、係止板４１は、スプリング４６の弾性力のみを受けている通常の状態にあっては略水平方向に維持されるので係止アーム４１ａが手動解除用フック３１に係り止めされることになり、一方、スプリング４６の弾性力に抗する力が加わったときには傾動することによって係止アーム４１ａと手動解除用フック３１の係止状態が解除されることになるのである。
【００４９】
なお、取付ねじに螺合するナット４５及びスプリング４６については、係止板４１を係止連結部４０本体に取り付けるという役割の他に、手動解除用フック３１に係止される手動解除用係止部としての係止アーム４１ａの保持力を調節自在とする保持力調節機構としての機能を発揮することが可能である。これは、ナット４５の締め付け量に応じてスプリング４６の駆動範囲が変化するからであり、ナット４５の調節によって、係止アーム４１ａと手動解除用フック３１の係止保持力を変更することができる。
【００５０】
また、ガイドレール１５に沿って摺動自在に設置される手動解除用フック部３０の外周部３３、又は係止連結部４０の外周部４７は、樹脂によって構成されていることが好適である。このように、手動解除用フック部３０及び係止連結部４０の少なくとも一方の外周部３３，４７を樹脂によって構成することにより、従来技術で発生していた摺動面のカジリ発生を防止することが可能となり、防火戸１０３のスムーズな開閉動作を安定して実現することができる。
【００５１】
なお、本実施形態に係る防火戸閉鎖装置１０に採用することができる樹脂としては、四フッ化エチレン樹脂（ＰＴＦＥ）、ポリイミド（ＰＩ）、ポリアミド（ＰＡ）、ポリオキシメチレン（ＰＯＭ）、ポリエステル、フェノール樹脂、エポキシ樹脂、ポリエーテルエーテルケトン（ＰＥＥＫ）又はポリエーテルサルホン（ＰＥＳ）の少なくとも１つが含まれる樹脂によって構成することが可能である。そして、これらの内から選択される樹脂単体あるいは複合樹脂を素材とし、手動解除用フック部３０及び係止連結部４０の外周部３３，４７や、係止アーム４１ａに設置される転動体４４に用いることができる。
【００５２】
ちなみに、上記樹脂のうち、特に、四フッ化エチレン樹脂（ＰＴＦＥ）には自己潤滑性があり、固体潤滑としても汎用されていることから、本実施形態に係る防火戸閉鎖装置１０の摺動部材として適用することが好適である。これは、四フッ化エチレン樹脂（ＰＴＦＥ）が、その構造上から非常に低い摩擦係数を有し、さらに、相手摩擦面に移着膜を形成して潤滑性を発揮することになるからである。さらに、耐摩耗性向上のため、四フッ化エチレン樹脂（ＰＴＦＥ）と炭素材、あるいは、四フッ化エチレン樹脂（ＰＴＦＥ）と炭素繊維、非晶質炭素、ガラス、セラミック、その他の樹脂との複合材を、外周部３３，４７や転動体４４として使用することも可能である。
【００５３】
さらに、本実施形態に係る係止連結部４０には、電気解除用フック４２と手動解除用係止部としての係止アーム４１ａとの間隔を調節自在とする間隔調節構造が採用されている。この間隔調節構造は、係止連結部４０の本体側と電気解除用フック４２とがボルト４８を介して接続されるという構成を採っていることから実現されるものであり、例えば、図３において例示されるように、係止連結部４０の本体側と電気解除用フック４２との間に金属材料や樹脂等によって形成されるスペーサ４９を挟持させることによって実現できる。このような間隔調節構造を用いて電気解除用フック４２と係止アーム４１ａとの間隔を変更することにより、アーム１１の固定保持角度が変更されるので、防火戸１０３の開度を任意に変更することが可能となる。
【００５４】
以上、本実施形態に係る防火戸閉鎖装置１０の具体的構成を説明したが、本実施形態に係る防火戸閉鎖装置１０のさらなる特徴として、手動解除用係止部としての係止アーム４１ａの備える手動解除用フック３１の係り止め保持力が、電気解除用係止部としての軸ピン１４２の備える電気解除用フック４２の係り止め保持力よりも小さく設定されていることが挙げられる。このような設定とすることによって、本実施形態に係る防火戸閉鎖装置１０では、従来技術では得られなかった効果が発揮される。
【００５５】
すなわち、本実施形態に係る防火戸閉鎖装置１０は、人為的な閉鎖力が防火戸１０３に対して加わったときには、図４Ａ及び図４Ｂにおいて示されるように、係り止め保持力の小さい係止アーム４１ａが傾動して手動解除用フック３１の係止状態が解放され、手動解除用フック部３０のみがガイドレール１５に沿って摺動してアーム１１を回動させ、防火戸１０３を閉鎖状態とする。
【００５６】
一方、図５Ａ及び図５Ｂにおいて示されるように、ソレノイド１３１への通電の遮断（又は通電）によって閉鎖動作のトリガーとなる電気信号が与えられることによりプランジャ１３２が作動すると、軸ピン１４２が傾動することによって電気解除用フック４２の係止状態が解放され、手動解除用フック部３０及び係止連結部４０が一緒になってガイドレール１５上を摺動し、アーム１１を回動して防火戸１０３を閉鎖状態とするのである。
【００５７】
上述したように、本実施形態に係る防火戸閉鎖装置１０では、通電状態に応じてアーム１１の固定保持・固定解除を行う電気保持・解除機構１２（電気解除用保持機構部２０及び係止連結部４０が備える電気解除用フック４２）と、防火戸１０３に加えられる防火戸閉鎖方向の外力に応じてアーム１１の固定解除を行う手動解除機構１３（係止連結部４０が備える係止板４１、係止アーム４１ａ及び手動解除用フック部３０）という２種類の機構を状況に応じて使い分けているので、開放・閉鎖動作を繰り返し行ったとしても構成部品が損傷し難く、しかも防火戸１０３の開閉動作を長期間安定して実現することが可能となる。
【００５８】
以上、本発明の好適な実施形態について説明したが、本発明の技術的範囲は上記実施形態に記載の範囲には限定されない。上記実施形態には、多様な変更又は改良を加えることが可能である。
【００５９】
すなわち、上述した実施形態では、電気解除用保持機構部２０と手動解除用フック部３０とを連結する係止連結部４０を、電気解除用フック４２及び手動解除用係止部としての係止アーム４１ａを備えるように構成し、それぞれ電気解除用フック４２は電気解除用係止部としての軸ピン１４２に係り止めされ、手動解除用係止部としての係止アーム４１ａは手動解除用フック部３０が備える手動解除用フック３１を係り止めするように構成した。
【００６０】
しかしながら、本発明の形態は上述のものに限られず、例えば、図６において示されるように、手動解除用係止部としての係止アーム４１ａの設置位置と手動解除用フック３１の設置位置とを入れ替えることが可能である。ここで、図６は、本実施形態に係る防火戸閉鎖装置１０の多様な形態の一例を示すものであり、先に図２Ｃで示した手動解除用フック部３０及び係止連結部４０を、フック連結部６０及び手動解除用保持機構部７０によって形成した場合の内部構造を示す要部上面透視図である。
【００６１】
図６に示す変形例は、上述した手動解除用フック部３０と係止連結部４０とを、フック連結部６０と手動解除用保持機構部７０とによって構成したものである。そして、手動解除用保持機構部７０は、ガイドレール１５に沿って移動自在に設置されるとともに手動解除用フック３１を係り止め可能であり、且つ、防火戸１０３に加えられる防火戸閉鎖方向の外力に応じて駆動される手動解除用係止部としての係止アーム４１ａを備えるように構成されている。一方、フック連結部６０は、ガイドレール１５に沿って移動自在に設置され、且つ、電気解除用保持機構部２０と手動解除用保持機構部７０とを連結可能なように構成される部材である。
【００６２】
このような構成を採用すれば、ガイドレール１５の中間位置に設置されるフック連結部６０は、電気解除用係止部としての軸ピン１４２に係り止めされる電気解除用フック４２と、手動解除用係止部としての係止アーム４１ａに係り止めされる手動解除用フック３１という駆動機構を持たない部材によって構成され、駆動機構を有する電気解除用保持機構部２０と手動解除用保持機構部７０とがガイドレール１５の端位置に設置されることになるので、メンテナンス性が向上する。また、電気解除用保持機構部２０と手動解除用保持機構部７０とを別々にメンテナンスすることによって、防火戸１０３を開放した状態のままでメンテナンス作業を行うことが可能となる。
【００６３】
その様な変更又は改良を加えた形態も本発明の技術的範囲に含まれ得ることが、特許請求の範囲の記載から明らかである。
【図面の簡単な説明】
【００６４】
【図１Ａ】本実施形態に係る防火戸閉鎖装置を備える防火戸の全体構成を示した上面図であり、防火戸の取付構造を示している。
【図１Ｂ】図１Ａに示した防火戸の側面図である。
【図２Ａ】本実施形態に係る手動解除用フック部及び係止連結部を説明するための要部上面図である。
【図２Ｂ】図２Ａで示した本実施形態に係る手動解除用フック部及び係止連結部の側面図である。
【図２Ｃ】図２Ａで示した本実施形態に係る手動解除用フック部及び係止連結部の内部構造を示す要部上面透視図である。
【図３】本実施形態に係る係止連結部が備える間隔調節構造を例示する図である。
【図４Ａ】本実施形態に係る防火戸閉鎖装置に対して人為的な閉鎖力が加わった場合の防火戸閉鎖装置の動作を示す上面図である。
【図４Ｂ】図４Ａに示した本実施形態に係る防火戸閉鎖装置の側面図である。
【図５Ａ】本実施形態に係る防火戸閉鎖装置に対して電気的な信号が発信された場合における防火戸閉鎖装置の動作を示す上面図である。
【図５Ｂ】図５Ａに示した本実施形態に係る防火戸閉鎖装置の側面図である。
【図６】本実施形態に係る防火戸閉鎖装置の多様な形態の一例を示すものであり、図２Ｃで示した手動解除用フック部及び係止連結部を、フック連結部及び手動解除用保持機構部によって形成した場合の内部構造を示す要部上面透視図である。
【図７】従来の防火戸閉鎖装置を備える防火戸の全体構成を示した上面図であり、防火戸の取付構造を示している。
【図８】図７の側面図である。
【図９】従来の防火戸閉鎖装置の構造を説明するための要部断面図である。
【図１０】従来の防火戸閉鎖装置の内部構造を説明するための上面図である。
【図１１】図１０のＡ−Ａ断面を示す縦断面側面図である。
【図１２】図１１で示した従来の防火戸閉鎖装置が備える作動板が傾動した状態を示す縦断面側面図である。
【符号の説明】
【００６５】
１０，１１０  防火戸閉鎖装置、１１  アーム、１２  電気保持・解除機構、１３  手動解除機構、１５  ガイドレール、２０  電気解除用保持機構部、３０  手動解除用フック部、３１  手動解除用フック、３１ａ，４２ａ，１１８ａ  フック溝、３２，１２１  リンク取付軸、３３，４７  外周部、４０  係止連結部、４１  係止板、４１ａ  係止アーム、４１ｂ  支持アーム、４２  電気解除用フック、４３，１０２  ヒンジ、４４  転動体、４５  ナット、４６，１４５  スプリング、４８  ボルト、４９  スペーサ、６０  フック連結部、７０  手動解除用保持機構部、１０１  戸枠、１０３  防火戸、１１２  リンク機構、１１５  ドアクローザ、１１８  スライドフック、１１９  ボルト、１２０  スライド用コマ、１３０  係止機構、１３１  ソレノイド、１３２  プランジャ、１３３  プランジャスプリング、１３４，１３５  リンク、１３６，１３７，１４１  トグルピン、１３８  トグルスプリング、１３９  当接片、１４０  作動板、１４２  軸ピン、１４３  ローラ、１４４取付ねじ、１４６  支点軸。
【図１Ａ】
2006247118.tif 000003
【図１Ｂ】
2006247118.tif 000004
【図２Ａ】
2006247118.tif 000005
【図２Ｂ】
2006247118.tif 000006
【図２Ｃ】
2006247118.tif 000007
【図３】
2006247118.tif 000008
【図４Ａ】
2006247118.tif 000009
【図４Ｂ】
2006247118.tif 000010
【図５Ａ】
2006247118.tif 000011
【図５Ｂ】
2006247118.tif 000012
【図６】
2006247118.tif 000013
【図７】
2006247118.tif 000014
【図８】
2006247118.tif 000015
【図９】
2006247118.tif 000016
【図１０】
2006247118.tif 000017
【図１１】
2006247118.tif 000018
【図１２】
2006247118.tif 000019